【事件の表示】
　特願２０１５−　８８７９６「台間装置」拒絶査定不服審判事件〔平成２７年　７月２３日出願公開、特開２０１５−１３１２２０〕について、次のとおり審決する。
【結　論】
　本件審判の請求は、成り立たない。
【理　由】
理　由
１　手続の経緯
　本願は、平成２１年１月６日に出願した特願２００９−０００９４０号の一部を平成２５年３月１２日に新たな特許出願（特願２０１３−４８９４８号）とし、さらにその一部を平成２７年４月２３日に新たな特許出願（特願２０１５−８８７９６号）としたものであって、平成２８年３月１１日付けで拒絶の理由が通知され、平成２８年５月１３日に意見書及び手続補正書が提出されたところ、平成２８年１０月６日付けで拒絶査定がなされ、それに対して、平成２９年１月１８日に拒絶査定不服審判の請求がなされると同時に特許請求の範囲及び明細書に係る手続補正がなされ、これに対し、当審において、平成２９年８月１０日付けで拒絶の理由が通知され、平成２９年１０月１６日に意見書及び手続補正書が提出されたものである。
２　本願発明
　平成２９年１０月１６日付け手続補正書により補正された特許請求の範囲の請求項１〜８に係る発明は、その請求項１〜８に記載された事項により特定されるとおりであるところ、その請求項１に係る発明（以下「本願発明」という。）は、次のとおりのものである（下線部は補正箇所を示す。また、Ａ〜Ｈは、分説するために当審にて付した。）。
「【請求項１】
Ａ　遊技台に対応して設けられ
、内部に新たに発行処理するための記録媒体を複数貯留する機能を備え
Ｂ　有価価値に基づいて遊技媒体の貸出処理を行う貸出処理手段と、
Ｃ　遊技台で遊技客が獲得した遊技媒体を計数する計数手段と、
Ｄ　計数手段にて計数した計数遊技媒体数の範囲内の遊技媒体について払出処理を行う計数遊技媒体払出処理手段と、
Ｅ　前記有価価値および計数遊技媒体数を記録媒体に関連付けて返却する返却処理を行う記録媒体返却処理手段と、
Ｆ　前記遊技台で使用可能な遊技媒体の払出を行う払出機構と
を備え、
Ｇ　前記記録媒体返却処理手段は、前記有価価値の大きさが零でなければ、前記記録媒体の返却処理を行い、
前記有価価値の大きさが零であり、遊技に使用可能な計数遊技媒体数がなければ、受け付けた前記記録媒体の返却処理を行わず、
あり、かつ、
受け付けた
及び内部に貯留した前記記録媒体の発行処理
Ｈ　前記払出機構は、前記計数遊技媒体払出処理手段の払出処理及び前記貸出処理手段の貸出処理に基づく払出を行う機能を備える
　ことを特徴とする台間装置。」
３　拒絶理由通知の概要
　平成２９年８月１０日付け拒絶理由通知は、本願発明は、当業者が特開２０００−２１０４６４号公報に記載された発明、特開２０００−８４２３０号公報に記載された事項、及び、特開２００４−１２９８９４号公報に記載された事項に基づいて容易に発明をすることができたものであるから、特許法第２９条第２項の規定により特許を受けることができないというものである。
４　刊行物
（１）刊行物１に記載された発明
　本願の出願遡及日前に頒布され、平成２９年８月１０日付け拒絶理由通知で引用された刊行物である特開２０００−２１０４６４号公報（以下、「刊行物１」という。）には、図面とともに次の事項が記載されている（下線は、当審にて付した。以下、同じ。）。
（１−ａ）　「【００１５】本実施例において用いた遊技用装置は、図１に示すように、遊技場内に設置された遊技島１に所定の台数が並設されて使用され、該遊技用装置は、遊技媒体であるパチンコ玉が封入された
封入式パチンコ台２
各パチンコ台２毎に１対１にて隣接配置されたカードユニット３
【００１６】本実施例にて用いた
前記封入式パチンコ台２について図２および図３に基づいて説明すると、
その前面には該パチンコ台２に突設する態様にて操作部３２が設けられている。
【００１７】
この操作部３２の上面には
その時点において遊技者が所持する持ち点合計（合計得点）が表示される合計得点表示部１０４と、遊技の開始または前記合計得点が「０」になった際に押圧操作されて、前記度数表示部１０３に度数が残存する場合に所定の大きさの得点の貸出を行う貸出ボタン１０１と、
が設けられており、
（１−ｂ）　「【００２０】これら
遊技領域１７内部に打ち込まれた打玉が始動口１９や通常入賞口２０、あるいは可変入賞球装置１６に入賞すれば、その入賞に応じて所定数の得点が遊技者に付与される。
（１−ｃ）　「【００３４】この本実施例のカードユニット３の構成を説明すると、図５に示すように、前記動作ランプ１０や、テンキーや決定キーおよびクリアキーから成る前記入力部１１や、前記処理中ランプ１２や、前記各インジケータ９，１３ａ，１３ｂに加えて、前記表示部５の表示動作の制御を行う表示ドライバ５１と、前記ＩＣカード挿入口７に連設され、所定金額が投入されることにより
新規のＩＣカード３７の発行を実施する
挿入されるＩＣカード３７から前記識別情報（ＩＤ）や前記有価価値である度数等の種々の情報の読み出しを行い、投入された合計金額に該当する度数と前記読み出された度数とが合算処理されて算出された新たな度数データや遊技により獲得された新たな得点データ等の書き込みを行うＩＣカードリーダライタ５４
（１−ｄ）　「【００３６】これらＩＣカード３７が挿入可能とされた前記ＩＣカードリーダライタ５４の構成を図８に基づいて説明すると、該ＩＣカードリーダライタ５４の内部には、前記ＩＣカード挿入口７からのＩＣカード３７の挿入を検知する挿入センサ９７や、前記ＩＣカード挿入口７に延設され、ＩＣカード３７がスライド可能とされたガイドレール９８と、該ガイドレール９８を挟むように配設されて該ＩＣカード３７の移動を、駆動モータ８６、９３にて駆動回転されることにより実施する搬送ローラ８７、８８と、前記搬送ローラ８７、８８の一方側に張架された搬送ベルト９１と、から成る搬送機構や、該搬送されるＩＣカード３７を所定位置に停止させるストップピンの出没を行う電磁ソレノイド８９や、所定位置に停止されたＩＣカード３７への給電やデータ通信を行う通信ヘッド９０や、前記の各部に接続されてその制御を実施する制御基板９２や、内部に発行されるＩＣカード３７が貯溜された貯溜ボックス９６より、駆動モータ９９により駆動されて前記ガイドレール９８へＩＣカード３７を移送する搬送ローラ９５が設けられていて、新規のＩＣカード３７が発行可能とされているとともに、
前記ＩＣカード３７に記録された度数および得点データが「０」である場合に、該ＩＣカード３７を前記貯溜ボックス９６内部に回収するようになっており、
（１−ｅ）　「【００４７】この返信に基づき前記ＭＰＵ５０は、発行するＩＣカード３７をＩＣカードリーダライタ５４の所定位置にセットさせて、前記記憶部５２に記憶されている前記識別情報（ＩＤ）および度数データを前記ＩＣカード３７に記録するとともに処理中ランプ１２を消灯し、
該ＩＣカード３７を前記ＩＣカード挿入口７より排出、発行し
（１−ｆ）　「【００５１】また、これら即使用において
前記残度数および合計得点が「０」の場合に関しては、前記ＩＣカード３７の発行を実施しないようにしても良く
（１−ｇ）　「【００６７】この段階において、
遊技者は前記操作部３２に設けられている貸出ボタン１０１を押圧操作することにより、前記度数表示部１０３に表示されている度数の内、所定の度数が得点に変換されて合計得点表示部１０４に加算される。
【００６８】この際、前記度数表示部１０３に表示されている度数からは前記得点に変換された所定の大きさの度数が前記持点制御用マイクロコンピュータ５５により減算されて表示が更新されるとともに、該減算された新たな度数データが前記ＭＰＵ５０に出力されて前記記憶部５２の度数データが更新されるとともに、該新たな度数データと前記ＩＣカード３７の識別情報（ＩＤ）とが管理コンピュータ４９に出力されて、前記発行カードＤＢに該識別情報（ＩＤ）に対応して記録されている度数データが更新され、図１３に示す該ＩＣカード３７に対応する残度数の表示が更新されるようになっている。
【００６９】これにより
合計得点表示部１０４に得点が存在することになり、前記持点制御用マイクロコンピュータ５５は、前記得点表示部１０４に得点が存在する旨の信号を前記遊技用マイクロコンピュータ５６に出力し、該遊技用マイクロコンピュータ５６は該出力に基づいて前記打球操作ハンドル１５の操作を有効とする。
【００７０】この状態において、遊技者は前記打球操作ハンドル１５を操作して遊技を実施し、前述のように前記各入賞口に玉が入賞することで、
所定の得点が付与、加算されていくとともに、打ち出された玉１つ毎に１点が減算されていき、
　上記（１−ａ）〜（１−ｇ）の記載事項から、以下（１−ｈ）〜（１−ｊ）の事項が導かれる。
（１−ｈ）上記段落【００３４】には、「挿入されるＩＣカード３７から前記識別情報（ＩＤ）や前記有価価値である度数等の種々の情報の読み出しを行い、投入された合計金額に該当する度数と前記読み出された度数とが合算処理されて算出された新たな度数データや遊技により獲得された新たな得点データ等の書き込みを行うＩＣカードリーダライタ５４」と記載されているから、刊行物１には、有価価値である度数と得点データとを挿入されたＩＣカード３７に書き込む点が記載されているといえる。さらに、段落【００４７】には「該ＩＣカード３７を前記ＩＣカード挿入口７より排出、発行」との記載があるから、刊行物１には、
有価価値である度数と得点データとを挿入されたＩＣカード３７に書き込み、ＩＣカード３７をＩＣカード挿入口７より排出する手段
（１−ｉ）上記段落【００６７】には、「遊技者は前記操作部３２に設けられている貸出ボタン１０１を押圧操作することにより、前記度数表示部１０３に表示されている度数の内、所定の度数が得点に変換されて合計得点表示部１０４に加算される。」と記載されているから、刊行物１には、貸出ボタン１０１を押圧操作することにより、所定の度数を得点に変換して合計得点表示部１０４に表示する機能が記載されているといえる。
　また、段落【００１６】には「前記封入式パチンコ台２について図２および図３に基づいて説明すると、・・・その前面には該パチンコ台２に突設する態様にて操作部３２が設けられている。」、段落【００１７】には、「この操作部３２の上面には、・・・その時点において遊技者が所持する持ち点合計（合計得点）が表示される合計得点表示部１０４と、遊技の開始または前記合計得点が「０」になった際に押圧操作されて、前記度数表示部１０３に度数が残存する場合に所定の大きさの得点の貸出を行う貸出ボタン１０１と、・・・が設けられており、」と記載されており、「合計得点表示部１０４」及び「貸出ボタン１０１」が設けられた「操作部３２」は「封入式パチンコ台２」が有するものであるから、刊行物１に記載された
封入式パチンコ台２は、貸出ボタン１０１を押圧操作することにより、所定の度数を得点に変換して表示する機能を備えている
（１−ｊ）上記段落【００６９】には、「合計得点表示部１０４に得点が存在することになり、前記持点制御用マイクロコンピュータ５５は、前記得点表示部１０４に得点が存在する旨の信号を前記遊技用マイクロコンピュータ５６に出力し、該遊技用マイクロコンピュータ５６は該出力に基づいて前記打球操作ハンドル１５の操作を有効とする。」、段落【００７０】には、「所定の得点が付与、加算されていくとともに、打ち出された玉１つ毎に１点が減算されていき、」と記載されているから、刊行物１には、
得点は、打ち出された玉１つ毎に１点が減算されていき、得点が存在することにより、遊技を実施する打球操作ハンドル１５の操作を有効とする機能
　上記（１−ａ）〜（１−ｇ）の記載事項及び（１−ｈ）〜（１−ｊ）の認定事項を総合すると、刊行物１には、次の発明（以下「刊行物１発明」という。）が記載されていると認められる（ａ〜ｈは、本願発明のＡ〜Ｈに対応させて付した。）。
「ａ　各封入式パチンコ台２毎に１対１にて隣接配置され、新規のＩＣカード３７の発行を実施するカードユニット３であって、（段落【００１５】、【００３４】）
ｅ　有価価値である度数と得点データとを挿入されたＩＣカード３７に書き込み、ＩＣカード３７をＩＣカード挿入口７より排出する手段と、（認定事項（１−ｈ））
を備え、
ｇ　ＩＣカード３７に記録された度数および得点データが「０」である場合に、該ＩＣカード３７を貯溜ボックス９６内部に回収するようになっており、ＩＣカード３７の発行も実施せず、（段落【００３６】、【００５１】）
ｂ　隣接配置される封入式パチンコ台２は、
　　貸出ボタン１０１を押圧操作することにより、所定の度数を得点に変換して表示する機能と、（認定事項（１−ｉ））
ｃ　遊技領域１７内部に打ち込まれた打玉が始動口１９、通常入賞口２０、あるいは可変入賞球装置１６に入賞すれば、その入賞に応じて所定数の得点を遊技者に付与する機能と、（段落【００２０】）
ｄ、ｆ、ｈ　得点は、打ち出された玉１つ毎に１点が減算されていき、得点が存在することにより、遊技を実施する打球操作ハンドル１５の操作を有効とする機能と、（認定事項（１−ｊ））を備える、
　カードユニット３。」
（２）刊行物２に記載された事項
　本願の出願遡及日前に頒布され、平成２９年８月１０日付け拒絶理由通知で引用された刊行物である特開２０００−８４２３０号公報（以下、「刊行物２」という。）には、図面とともに次の事項が記載されている（下線は、当審にて付した。以下、同じ。）。
（２−ａ）　「【請求項１】  パチンコ遊技機に隣接して設けられた付帯機器と、
この付帯機器に装着可能に設けられ、
投入されたパチンコ玉を計数する計数装置本体
前記付帯機器に前記計数装置本体が装着された状態で当該計数装置本体を位置決め状態で保持すると共に、保持解除指令に応じて前記計数装置本体を前記付帯機器の前方へ突出させる保持手段とを備えたことを特徴とするパチンコ玉計数装置。」
（２−ｂ）　「【００１５】
パチンコ遊技機１に隣接して台間玉貸機６（付帯機器に相当）が設置されており、
硬貨投入口７
貸出スイッチ等（何れも図示せず）が設けられた操作パネル８、パチンコ玉放出用のノズル９
（２−ｃ）　「【００１７】一方、
台間玉貸機６の下部には計数装置１２が一体的に構成されており
　上記（２−ａ）〜（２−ｃ）の記載事項及び図面から、以下（２−ｄ）の事項が導かれる。
（２−ｄ）上記【請求項１】には、「投入されたパチンコ玉を計数する計数装置本体」、上記段落【００１７】には、「台間玉貸機６の下部には計数装置１２が一体的に構成されており」との記載があり、また、図２には、パチンコ遊技機１から玉案内ユニット５６を介してパチンコ玉が計数装置１２に投入される点が図示されているから、刊行物２には、
パチンコ遊技機１から投入されたパチンコ玉を計数する計数装置１２
　上記（２−ａ）〜（２−ｃ）の記載事項及び（２−ｄ）の認定事項を総合すると、刊行物２には、次の事項（以下、「刊行物２記載の事項」という。）が記載されていると認められる。
「パチンコ遊技機１に隣接して設置される台間玉貸機６において、（段落【００１５】）
　硬貨投入口７、貸出スイッチ等が設けられた操作パネル８、パチンコ玉放出用のノズル９と、（段落【００１５】）
　パチンコ遊技機１から投入されたパチンコ玉を計数する計数装置１２と、（認定事項（２−ｄ））を備える点。」
（３）刊行物３に記載された事項
　本願の出願遡及日前に頒布され、平成２９年８月１０日付け拒絶理由通知で引用された刊行物である特開２００４−１２９８９４号公報（以下、「刊行物３」という。）には、図面とともに次の事項が記載されている（下線は、当審にて付した。以下、同じ。）。
（３−ａ）　「【００２２】
図１のシステムでは、複数の遊戯装置３１〜３５と、
各遊戯装置３１〜３５に対応して個別に設けられた複数の付設処理装置２１〜２５
（３−ｂ）　「【００３６】
図２は、図１の付設処理装置２１〜２５の内部の概略構成の一例を示すブロック図である。
図２の付設処理装置２０は、図１の付設処理装置２１〜２５に対応し、
（３−ｃ）　「【０１０３】
また、遊技客カード２００が、例えば、当日カードである場合には、
付設処理装置２０は、貯玉データが所定数以上であれば、自動的に貯玉データを遊技客カード２００内に書込み、挿入口から排出することにより遊技客に返却し、貯玉データが所定数未満であれば、貯玉データに応じた数の玉を排出することにより遊技客に提供すると共に遊技客カード２００を自動的に取込む。
ＩＣカード等の高価な当日カードの再利用が可能となる。
　上記（３−ａ）〜（３−ｃ）の記載事項を総合すると、刊行物３には、次の事項（以下、「刊行物３記載の事項」という。）が記載されていると認められる。
「遊戯装置に対応して設けられた付設処理装置２０において、（段落【００２２】、【００３６】）
　貯玉データが所定数以上であれば、自動的に貯玉データを遊技客カード２００内に書込み、挿入口から排出することにより遊技客に返却し、貯玉データが所定数未満であれば、貯玉データに応じた数の玉を排出することにより遊技客に提供すると共に遊技客カード２００を自動的に取込み、ＩＣカード等の高価な当日カードの再利用を可能とする点。（段落【０１０３】）」
５　対比
　本願発明と刊行物１発明とを対比する（下記の（ａ）〜（ｈ）は、刊行物１発明の構成に対応している。）。
（ａ）刊行物１発明の「封入式パチンコ台２」、「ＩＣカード３７」及び「カードユニット３」は、それぞれ、本願発明の「遊技台」、「記録媒体」及び「台間装置」に相当する。また、刊行物１発明の「台間装置」は、「新規のＩＣカード３７の発行を実施する」ものであるから、内部に新たに発行処理するための「ＩＣカード３７」を複数貯留する機能を備えることは、当業者にとって自明である。
　よって、刊行物１発明の「各封入式パチンコ台２毎に１対１にて隣接配置され、新規のＩＣカード３７の発行を実施するカードユニット３」は、本願発明の「遊技台に対応して設けられ、内部に新たに発行処理するための記録媒体を複数貯留する機能を備える台間装置」に相当する。
（ｅ）刊行物１発明の「度数」及び「得点データ」は、それぞれ、本願発明の「有価価値」及び「計数遊技媒体数」に相当する。また、刊行物１発明において、「挿入されたＩＣカード３７」を「ＩＣカード挿入口７より排出する」ことは、本願発明において、「記録媒体」を「返却する返却処理を行う」ことに相当する。さらに、刊行物１発明において、「ＩＣカード３７」は、「有価価値である度数と得点データ」が「書き込」まれ、「ＩＣカード挿入口７より排出」されるから、「ＩＣカード３７」は、「有度数」および「得点データ」を関連付けて返却されるものといえる。
　よって、刊行物１発明の「有価価値である度数と得点データとを挿入されたＩＣカード３７に書き込み、ＩＣカード３７をＩＣカード挿入口７より排出する手段」は、本願発明の「前記有価価値および計数遊技媒体数を記録媒体に関連付けて返却する返却処理を行う記録媒体返却処理手段」に相当する。
（ｇ）刊行物１発明において、「ＩＣカード３７に記録された度数」が「「０」である」こと、及び、「ＩＣカード３７に記録された」「得点データが「０」である」ことは、それぞれ、本願発明における「有価価値の大きさが零」であること、及び、「遊技に使用可能な計数遊技媒体数がな」いことに相当する。
　また、刊行物１発明の「有価価値である度数と得点データとを挿入されたＩＣカード３７に書き込み、ＩＣカード３７をＩＣカード挿入口７より排出する手段」（構成ｅ）は、「ＩＣカード３７に記録された度数および得点データが「０」」である場合には、「該ＩＣカード３７を貯溜ボックス９６内部に回収」するのであるから、ＩＣカード３７を「ＩＣカード挿入口７」より排出せず、他方、「ＩＣカード３７に記録された度数および得点データが「０」」でない場合には、「該ＩＣカード３７を貯溜ボックス９６内部に回収」せずに、ＩＣカード３７を「ＩＣカード挿入口７」より排出するものであることは、当業者にとって自明である。
　よって、刊行物１発明において、「ＩＣカード３７に記録された度数および得点データが「０」である場合に、該ＩＣカード３７を貯溜ボックス９６内部に回収するようになっており、ＩＣカード３７の発行も実施」しないことは、本願発明の構成Ｇと、「前記記録媒体返却処理手段は、前記有価価値の大きさが零でなければ、前記記録媒体の返却処理を行い、前記有価価値の大きさが零であり、遊技に使用可能な計数遊技媒体数がなければ、受け付けた前記記録媒体の返却処理を行わ」ない点で共通する。
（ｂ）刊行物１発明において、「得点」は、「打ち出された玉１つ毎に１点が減算されていき、得点が存在することにより、遊技を実施する打球操作ハンドル１５の操作を有効とする」（構成ｄ）ものであるから、「所定の度数を得点に変換して表示する」ことは、「所定の度数」に基づいて「打球操作ハンドル１５の操作」により「玉」を「打ち出」す権利である「得点」を貸し出すことといえる。そして、刊行物１発明の「玉」は本願発明の「遊技媒体」に相当するから、刊行物１発明において「所定の度数を得点に変換して表示する」ことは、本願発明において「有価価値に基づいて遊技媒体の貸出処理を行う」ことに相当する。
　よって、刊行物１発明における「隣接配置される封入式パチンコ台２」が備える「貸出ボタン１０１を押圧操作することにより、所定の度数を得点に変換する機能」は、本願発明における、「台間装置」が備える「有価価値に基づいて遊技媒体の貸出処理を行う貸出処理手段」と同様の機能であるといえる。
（ｃ）刊行物１発明において、「入賞に応じ」た「所定数の得点」は、本願発明における「遊技台で遊技客が獲得した遊技媒体」の数に相当する。また、「入賞に応じて所定数の得点を遊技者に付与する」際には、「始動口１９、通常入賞口２０、あるいは可変入賞球装置１６に入賞」したことにより獲得する「所定数の得点」の値を計数していることは、明らかである。
　よって、刊行物１発明における、「隣接配置される封入式パチンコ台２」が備える「遊技領域１７内部に打ち込まれた打玉が始動口１９、通常入賞口２０、あるいは可変入賞球装置１６に入賞すれば、その入賞に応じて所定数の得点を遊技者に付与する機能」は、本願発明における、「台間装置」が備える「遊技台で遊技客が獲得した遊技媒体を計数する計数手段」と同様の機能であるといえる。
（ｄ、ｆ、ｈ）刊行物１発明において、「得点は、打ち出された玉１つ毎に１点が減算されていき、得点が存在することにより、遊技を実施する打球操作ハンドル１５の操作を有効とする」際には、「得点」を「１点」「減算」することで「遊技を実施」することを可能としているといえるから、刊行物１発明において、「得点は、打ち出された玉１つ毎に１点が減算されていき」、「遊技を実施する打球操作ハンドル１５の操作を有効とする」ことは、「得点」について払出処理を行うことといえる。また、「得点」は、「その入賞に応じて」「遊技者に付与」された「所定数の得点」（構成ｃ）と「所定の度数を得点に変換」（構成ｂ）したものを含むものであり、刊行物１発明における「１点が減算」される「得点」のうち、「その入賞に応じて」「遊技者に付与」された「所定数の得点」が、本願発明の用語を用いて表現すると「計数手段にて計数した計数遊技媒体数の範囲内」のものであることは、明らかである。
　さらに、刊行物１発明において、「得点は、打ち出された玉１つ毎に１点が減算されていき、得点が存在することにより、遊技を実施する打球操作ハンドル１５の操作を有効とする」ための機構は、本願発明の用語を用いて表現すると、「前記遊技台で使用可能な遊技媒体の払出を行う払出機構」であるといえる。
　よって、刊行物１発明における、「隣接配置される封入式パチンコ台２」が備える「得点は、打ち出された玉１つ毎に１点が減算されていき、得点が存在することにより、遊技を実施する打球操作ハンドル１５の操作を有効とする機能」は、本願発明における、「台間装置」が備える「計数手段にて計数した計数遊技媒体数の範囲内の遊技媒体について払出処理を行う計数遊技媒体払出処理手段」及び「前記計数遊技媒体払出処理手段の払出処理及び前記貸出処理手段の貸出処理に基づく払出を行う機能を備える」「前記遊技台で使用可能な遊技媒体の払出を行う払出機構」と同様の機能であるといえる。
　以上、（ａ）〜（ｈ）の対比より、本願発明と刊行物１発明とは、
「Ａ　遊技台に対応して設けられ、内部に新たに発行処理するための記録媒体を複数貯留する機能を備える台間装置であって、
Ｅ　前記有価価値および計数遊技媒体数を記録媒体に関連付けて返却する返却処理を行う記録媒体返却処理手段と、
を備え、
Ｇ’前記記録媒体返却処理手段は、前記有価価値の大きさが零でなければ、前記記録媒体の返却処理を行い、前記有価価値の大きさが零であり、遊技に使用可能な計数遊技媒体数がなければ、受け付けた前記記録媒体の返却処理を行わず、
Ｂ’遊技台および台間装置により
　　有価価値に基づいて遊技媒体の貸出処理を行う貸出処理手段と、
Ｃ’遊技台で遊技客が獲得した遊技媒体を計数する計数手段と、
Ｄ’計数手段にて計数した計数遊技媒体数の範囲内の遊技媒体について払出処理を行う計数遊技媒体払出処理手段と、
Ｆ’前記遊技台で使用可能な遊技媒体の払出を行う払出機構と
しての機能を備えており、
Ｈ’前記払出機構は、前記計数遊技媒体払出処理手段の払出処理及び前記貸出処理手段の貸出処理に基づく払出を行う機能を備える
　台間装置。」
である点で一致し、次の点で相違する。
（相違点１）
　本願発明は、「有価価値に基づいて遊技媒体の貸出処理を行う貸出処理手段」（構成Ｂ）、「遊技台で遊技客が獲得した遊技媒体を計数する計数手段」（構成Ｃ）、「計数手段にて計数した計数遊技媒体数の範囲内の遊技媒体について払出処理を行う計数遊技媒体払出処理手段」（構成Ｄ）、及び、「前記計数遊技媒体払出処理手段の払出処理及び前記貸出処理手段の貸出処理に基づく払出を行う機能を備える」（構成Ｈ）「前記遊技台で使用可能な遊技媒体の払出を行う払出機構」（構成Ｆ）を、「台間装置」が備えることに対し、刊行物１発明は、「隣接配置される封入式パチンコ台２」が備えるものであって、「カードユニット３」（台間装置）が備えていない点。
（相違点２）
　本願発明は、「遊技に使用可能な計数遊技媒体数があり、かつ、所定の閾値未満であれば、受け付けた前記記録媒体の返却処理及び内部に貯留した前記記録媒体の発行処理を行なわ」（構成Ｇ）ないことに対し、刊行物１発明はそのように特定されていない点。
６　判断
（１）上記相違点１について検討する。
　上記４（２）で示した通り、刊行物２には、次の事項（刊行物２記載の事項）が記載されていると認められる。
「パチンコ遊技機１に隣接して設置される台間玉貸機６において、（段落【００１５】）
　硬貨投入口７、貸出スイッチ等が設けられた操作パネル８、パチンコ玉放出用のノズル９と、（段落【００１５】）
　パチンコ遊技機１から投入されたパチンコ玉を計数する計数装置１２と、（認定事項（２−ｄ））を備える点。」
　刊行物２記載の事項の「台間玉貸機６」は、本願発明の「台間装置」であるといえる。また、刊行物２記載の事項の「台間玉貸機６」は、「硬貨投入口７、貸出スイッチ等が設けられた操作パネル８、パチンコ玉放出用のノズル９」を備えており、「硬貨投入口７」に投入された硬貨に基づきパチンコ玉を貸し出し、当該パチンコ玉を「パチンコ玉放出用のノズル９」から供給することは明らかであるから、有価価値に基づいて遊技媒体の貸出処理を行う貸出処理手段としての機能を備えているといえる。
　また、刊行物２記載の事項における「パチンコ遊技機１から投入されたパチンコ玉を計数する計数装置１２」は、遊技台で遊技客が獲得した遊技媒体を計数する計数手段といえ、「パチンコ玉放出用のノズル９」は、「硬貨投入口７」に投入された硬貨に基づきパチンコ玉を貸し出し、供給するから、刊行物２記載の事項の「台間玉貸機６」は、貸出処理手段の貸出処理に基づく払出を行う機能を備え、遊技台で使用可能な遊技媒体の払出を行う払出機構を備えたものといえる。
　したがって、刊行物２記載の事項は、本願発明の用語を用いて表現すると、「台間装置において、有価価値に基づいて遊技媒体の貸出処理を行う貸出処理手段、遊技台で遊技客が獲得した遊技媒体を計数する計数手段、貸出処理手段の貸出処理に基づく払出を行う機能を備え、遊技台で使用可能な遊技媒体の払出を行う払出機構を備えたもの」といえる。
　そして、刊行物１発明と刊行物２記載の事項は台間装置に関するものである点で共通し、また、刊行物１の段落【００１３】には、「封入式ではない通常のパチンコ玉を排出可能とされたパチンコ遊技機」に適用することも示唆されているから、刊行物１発明において、カードユニット３をパチンコ玉を排出する通常のパチンコ遊技機の台間装置として用いるために刊行物２記載の事項を適用し、「隣接配置される封入式パチンコ台２」が備えている「貸出ボタン１０１を押圧操作することにより、所定の度数を得点に変換して表示する機能」、「遊技領域１７内部に打ち込まれた打玉が始動口１９、通常入賞口２０、あるいは可変入賞球装置１６に入賞すれば、その入賞に応じて所定数の得点を遊技者に付与する機能」、「得点は、打ち出された玉１つ毎に１点が減算されていき、得点が存在することにより、遊技を実施する打球操作ハンドル１５の操作を有効とする機能」に代えて、「カードユニット３」（台間装置）に、有価価値に基づいて遊技媒体の貸出処理を行う貸出処理手段、遊技台で遊技客が獲得した遊技媒体を計数する計数手段、計数手段にて計数した計数遊技媒体数の範囲内の遊技媒体について払出処理を行う計数遊技媒体払出処理手段、及び、計数遊技媒体払出処理手段の払出処理及び貸出処理手段の貸出処理に基づく払出を行う機能を備える、遊技台で使用可能な遊技媒体の払出を行う払出機構を設け、上記相違点１に係る本願発明の構成とすることは、当業者が容易に想到し得たことである。
（２）上記相違点２について検討する。
　上記４（３）で示した通り、刊行物３には、次の事項（刊行物３記載の事項）が記載されていると認められる。
「遊戯装置に対応して設けられた付設処理装置２０において、（段落【００２２】）
　貯玉データが所定数以上であれば、自動的に貯玉データを遊技客カード２００内に書込み、挿入口から排出することにより遊技客に返却し、貯玉データが所定数未満であれば、貯玉データに応じた数の玉を排出することにより遊技客に提供すると共に遊技客カード２００を自動的に取込み、ＩＣカード等の高価な当日カードの再利用を可能とする点。（段落【０１０３】）」
　刊行物３記載の事項の「付設処理装置２０」及び「遊技客カード２００」は、それぞれ、本願発明の「台間装置」及び「記録媒体」といえる。
　刊行物３記載の事項において、「所定数」は、閾値といえ、「貯玉データが所定数未満であれば」、「遊技客カード２００を自動的に取込む」ことは、遊技に使用可能な計数遊技媒体数があり、かつ、所定の閾値未満であれば、受け付けた記録媒体の返却処理を行なわないことといえる。
　そして、刊行物１発明と刊行物３記載の事項とは、記録媒体を用いる台間装置に関するものであり、また、記録媒体を返却しない場合がある点で共通するものであるから、刊行物１発明において、記録媒体の再利用をより行えるようにするために刊行物３記載の事項を適用し、「ＩＣカード３７を貯溜ボックス９６内部に回収する」場合、及び、「ＩＣカード３７の発行」を「実施」しない場合（「内部に貯留した前記記録媒体の発行処理を行なわ」ない場合）として、「ＩＣカード３７に記録された度数および得点データが「０」である場合」に加えて、「度数」が「０」であり（有価価値の大きさが零であり）、「得点データ」（計数遊技媒体数）が所定の閾値未満である場合とし、上記相違点２に係る本願発明の構成とすることは、当業者が容易に想到し得たことである。
（３）請求人の主張について
　平成２９年１０月１６日付けの意見書の「（２）＜イ．検討２＞」において、請求人は、「しかしながら、この刊行物３の「所定数」は、カードを「回収する」ための所定値であって、カードを新たに外部に排出するかどうかに対する所定値ではありません。このため、この刊行物３のものを用いて「カードを回収して再利用」することはできたとしても、本願発明のように、新たに外部に発行するかどうかを考慮したものではありません。・・・この刊行物３のものは、本願発明のように内部カードの排出時を想定したものではなく、その前提及び着想が相違します。また、刊行物３には上記の本願発明の動機付けとなる記載は存在せず、この刊行物３を刊行物１に組み合わせたとしても、本願発明に対応する構成には至りません。」との主張をしている。そして、刊行物３には、請求人の主張するとおり、「遊技客カード２００」（記録媒体）を「付設処理装置２０」（台間装置）の内部に複数貯留し、新たに発行処理する旨は記載されていない。
　しかしながら、刊行物１発明の「カードユニット３」（台間装置）は「ＩＣカード３７」（記録媒体）を新規に発行可能なものであり、「ＩＣカード３７に記録された度数および得点データが「０」である場合」には、「該ＩＣカード３７を貯溜ボックス９６内部に回収する」（受け付けた記録媒体の返却処理を行わない）と共に、「ＩＣカード３７の発行も実施」しない（内部に貯留した記録媒体の発行処理を行わない）ものであるから、刊行物１発明において、刊行物３記載の事項を適用した際には、「度数」が「０」であり（有価価値の大きさが零であり）、「得点データ」（計数遊技媒体数）が所定の閾値未満である場合には、「挿入されたＩＣカード３７」を「貯溜ボックス９６内部に回収する」のと同様に、「ＩＣカード３７の発行」を実施しないようにすることは、当業者が当然になし得る事項にすぎない。
　さらに、平成２９年１０月１６日付けの意見書の「（２）＜イ．検討２＞」において、請求人は、「しかしながら、「入賞に応じて所定数の得点を遊技者に付与する」際の処理は、「遊技媒体を計数する」処理とは全く異質のものであり、当該ご認定は妥当でないと考えます。具体的には、「入賞に応じて遊技媒体を遊技者に付与する」処理は、刊行物２に記載されるような封入式でないパチンコシステムにおいても、遊技台において行われるものであって、封入式との差異は、遊技媒体が電子的なデータとして付与されるか、現実の遊技媒体として付与されるかであるため、刊行物１における「所定数の得点」を付与した状態は「通常のパチンコ玉を排出するパチンコ遊技機に適用」した場合には、「所定数の遊技媒体」を付与した（つまり、上皿に払い出した）状態に該当するものと考えます。
　従って、付与された遊技媒体をさらに計数する処理については、刊行物１に該当する構成は存在せず、「計数手段」、「払出処理手段」等の構成が刊行物１の構成を置換して実現できるものであるとのご認定は妥当でないと考えます。」との主張をしている。
　しかしながら、刊行物１発明において、「カードユニット３」をパチンコ玉を排出する通常のパチンコ遊技機の台間装置として用いるために、「台間玉貸機６」が「パチンコ遊技機１から投入されたパチンコ玉を計数する計数装置１２」を備えるものとする刊行物２記載の事項を適用した際に、当該「計数装置１２」を「遊技台で遊技客が獲得した遊技媒体を計数する計数手段」として用いることは、当業者が適宜になし得る事項にすぎない。
　よって、上記請求人の上記主張は、採用することができない。
（４）まとめ
　以上のように、本願発明は当業者が刊行物１発明、刊行物２記載の事項及び刊行物３記載の事項に基づいて容易に発明をすることができたものである。
７　むすび
　以上のとおりであるから、本願発明は、特許法第２９条第２項の規定により特許を受けることができない。
　したがって、その余の請求項について検討するまでもなく、本願は、拒絶されるべきものである